(57)【要約】【課題】本発明の課題は、リミットスイッチを設けた空気清浄機において、新たな部材を追加せずに、前面パネルを開きやすい構造とした空気清浄機を提供することにある。【解決手段】空気清浄機１０は、本体２０と、前面パネル３０と、リミットスイッチ２１と、ロック機構２２とを備える。前面パネルは、本体の前面を覆うように装着される。リミットスイッチは、バネ２１ａを有し、本体に配置され、バネが前面パネルからの押圧を受けたときに圧縮した状態でＯＮ状態となり、バネが前面パネルからの押圧が無くなったときに伸張した状態でＯＦＦ状態となる。ロック機構は、リミットスイッチをＯＮ状態で保持するように、前面パネルを本体にロックする。前面パネルは、ロック機構によるロックが解除されると、バネの反力により開く。【選択図】図１
2012024714.tif 000002
【特許請求の範囲】
【請求項１】
本体（２０）と、
前記本体の前面を覆うように配置される前面パネル（３０）と、
バネ（２１ａ）を有し、前記本体に装着され、前記バネが前記前面パネルからの押圧を受けたときに圧縮した状態でＯＮ状態となり、前記バネが前記前面パネルからの押圧がなくなったときに伸張した状態でＯＦＦ状態となるリミットスイッチ（２１）と、
前記リミットスイッチをＯＮ状態で保持するように、前記前面パネルを前記本体にロックするロック機構（２２）と、
を備え、
前記前面パネルは、前記ロック機構によるロックが解除されると、前記バネの反力により開く、
空気清浄機（１０）。
【請求項２】
前記前面パネルは、
前記前面パネルの上端部を軸として回動自在に前記本体の上部に支持され、
ロックされているときに、前記上端部より下方の部分（３２ｄ）が前記バネを押圧して前記リミットスイッチをＯＮ状態にしており、
前記ロック機構によるロックが解除されると、前記上端部を軸として回動することにより開く、
請求項１に記載の空気清浄機（１０）。
【請求項３】
前記ロック機構は、前記本体の側部に配置される、
請求項１または２に記載の空気清浄機（１０）。
【発明の詳細な説明】
【技術分野】
【０００１】
本発明は、空気清浄機に関する。
【背景技術】
【０００２】
従来、特許文献１（実公平６−１２４３５号公報）のような空気調和機において、本体に取り付けられた前面パネルが開く際に、付勢部材によって付勢されように構成されており、作業者が前面パネルを開けることを容易にしている。
【０００３】
また、特許文献２（特開昭６３−１５６５５３号公報）のような空気清浄機において、本体に取り付けられた前面パネル（フロントグリル）を開くことに連動するリミットスイッチが設けられているものがある。
【発明の概要】
【発明が解決しようとする課題】
【０００４】
しかしながら、特許文献２のようなリミットスイッチを設けた空気清浄機において、特許文献１のように前面パネルの開放を容易にしようとすると、新たに付勢部材を設ける必要がある。このため、新たな部材を追加することによる製造コストのアップに繋がる。また、追加する部材を収めるスペースが必要になり、製品サイズのアップに繋がる。
【０００５】
本発明の課題は、リミットスイッチを設けた空気清浄機において、新たな部材を追加せずに、前面パネルを開きやすい構造とした空気清浄機を提供することにある。
【課題を解決するための手段】
【０００６】
本発明の第１観点に係る空気清浄機は、本体と、前面パネルと、リミットスイッチと、ロック機構とを備える。前面パネルは、本体の前面を覆うように装着される。リミットスイッチは、バネを有し、本体に配置され、バネが前面パネルからの押圧を受けたときに圧縮した状態でＯＮ状態となり、バネが前面パネルからの押圧が無くなったときに伸張した状態でＯＦＦ状態となる。ロック機構は、リミットスイッチをＯＮ状態で保持するように、前面パネルを本体にロックする。前面パネルは、ロック機構によるロックが解除されると、バネの反力により開く。
【０００７】
第１観点に係る空気清浄機によれば、前面パネルを作業者などが開ける際にロック機構によるロックを解除すると、リミットスイッチに設けられたバネの反力により前面パネルが開く。したがって、前面パネルを開きやすくすることができる。また、前面パネルを開きやすくする部材を別に設けなくとも良くなり、別部材を収納するスペースを設けなくとも良い。このため、生産コストを低減することができ、かつ、製品サイズを抑えることができる。
【０００８】
本発明の第２観点に係る空気清浄機は、第１観点に係る空気清浄機において、前面パネルは、前面パネルの上端部を軸として回動自在に本体の上部に支持され、ロックされているときに、上端部より下方の部分がバネを押圧してリミットスイッチをＯＮ状態にしており、ロック機構によるロックが解除されると、上端部を軸として回動することにより開く。
【０００９】
第２観点に係る空気清浄機によれば、作業者がロック機構によるロックを解除すると、前面パネルは、その上端部を軸として回動して開く。
【００１０】
このように、上端部を軸として回動して開くため、前面パネルの下端部を軸として開くよりも軸となる部材に負担がかかりにくい構造とすることができる。
【００１１】
本発明の第３観点に係る空気清浄機は、第１観点または第２観点に係る空気清浄機において、ロック機構は、本体の側部に配置される。
【００１２】
したがって、作業者等がロック機構によるロックを解除する際に、本体側から解除するため、前面パネルに手をかけることなくロック機構によるロックを解除することができる。このため、前面パネルが前方に開く際に手が障害となることを防ぐことができる。
【発明の効果】
【００１３】
本発明の第１観点に係る空気清浄機では、前面パネルを開きやすくすることができる。また、前面パネルを開きやすくする部材を別に設けなくとも良く、生産コストを低減することができる。
【００１４】
本発明の第２観点に係る空気清浄機では、上端部を軸として回動して開くため、前面パネルの下端部を軸として開くよりも軸となる部材に負担がかかりにくい構造とすることができる。
【００１５】
本発明の第３観点に係る空気清浄機では、作業者等がロック機構によるロックを解除する際に、本体側から解除するため、前面パネルに手をかけることなくロック機構によるロックを解除することができる。このため、前面パネルが前方に開く際に手が障害となることを防ぐことができる。
【図面の簡単な説明】
【００１６】
【図１】本発明の一実施形態に係る空気清浄機の外観図である。
【図２】前面パネルの分解斜視図である。
【図３】前面パネルの本体側の面から見た平面図である。
【図４】図３のＩＶ−ＩＶ断面図である。
【図５】空気清浄機の正面視において、水平方向の中心における鉛直断面図（下部前面側）である。
【図６】リミットスイッチの外観斜視図である。
【図７】リミットスイッチのＯＦＦ状態における内部構造の概略図である。
【図８】リミットスイッチのＯＮ状態における内部構造の概略図である。
【発明を実施するための形態】
【００１７】
以下、図面に基づいて、本発明に係る空気清浄機の実施形態について説明する。
【００１８】
（１）空気清浄機の構成
図１は、本発明の一実施形態に係る空気清浄機１０の外観図である。空気清浄機１０は、本体２０と、本体の前面を覆う前面パネル３０とにより構成される。
【００１９】
（１−１）本体
本体２０には、本体の電源回路のＯＮ／ＯＦＦ可能なリミットスイッチ２１と、前面パネル３０をロックするロック機構２２とが備えられる。リミットスイッチ２１は、本体の前側下部に配置される。ロック機構２２は、本体２０の正面視において右側面に配置される。本体２０にはまた、図示しない送風機、フィルタなどが収納されている。そして、送風機により室内の空気を本体２０内部に取り入れて、内部でフィルタなどにより清浄処理された空気を排出する機能を有する。なお、本実施形態の空気清浄機１０では、本体２０の前面から空気を取り入れており、背面側から本体２０の上方に向けて清浄空気が排出される構造となっている。
【００２０】
（１−２）前面パネル
前面パネル３０について、図２〜図４を用いて説明する。なお、図２は前面パネルの分解斜視図であり、図３は前面パネルの本体２０側の面から見た平面図であり、図４は図３のＩＶ−ＩＶ断面図である。
【００２１】
前面パネル３０は、図２に示すように、パネル部３１とフレーム部３２とにより形成される。パネル部３１は、本体２０に取設された状態において、本体２０の外側に向かって膨らんだ本体２０の前方に凸の形状となっており、前側を覆う板状の部材である。フレーム部３２は、パネル部３１の周縁部の外側を補強する周縁補強部３２ａと、パネル部３１の剛性を確保するためのパネル面補強部３２ｂとを有する。パネル面補強部３２ｂには、水平方向に延びている３つのコの字状部材３２ｃが有り、パネル部３１の内側の形状と隙間なく接する形状となっている。すなわち、コの字状部材３２ｃの本体２０前面側の端部の形状は、パネル部３１の本体２０外側の膨らみと一致するように弓形の形状となっている。また、フレーム部３２の本体側には、リミットスイッチ２１を押圧して本体の電源回路をＯＮ状態にさせる押圧部３２ｄと、本体２０のロック機構２２により係止される爪部３２ｅとが設けられる。
【００２２】
また、パネル部３１の下方は、空気清浄機１０の吸込口１１となっている。すなわち、フレーム部３２は、パネル部３１により完全に覆われる上部領域Ｚ１と、吸込口１１となる下部領域Ｚ２とに分けられる。フレーム部３２の周縁補強部３２ａは、本体２０に取設された状態で、フレーム部３２の上端部及び下端が本体２０と密着する。一方で、フレーム部３２の周縁補強部３２ａの左端及び右端は、本体２０と密着せずに、前面パネル３０に形成される吸込口１１とは別に、本体２０の両側面に吸込口１１が形成される。
【００２３】
（２）本体と前面パネルとの関係
前面パネル３０は、図１に示すように、本体２０の前側の上部を軸として回動可能な状態で取設される。そして、図５に示すように前面パネル３０のフレーム部３２に設けられる押圧部３２ｄが、本体２０の前面下部に設けられるリミットスイッチ２１を押圧した状態（電源回路ＯＮ）で、フレーム部３２の爪部３２ｅがロック機構２２により係止される。このようにして、図１のように前面パネル３０は、本体２０に取設されることになる。図５は、空気清浄機１０の正面視において、水平方向の中心における鉛直断面図（下部前面側）である。
【００２４】
リミットスイッチ２１について、図６〜図８を用いて説明する。なお、図６はリミットスイッチの外観斜視図であり、図７はリミットスイッチのＯＦＦ状態における内部構造の概略図であり、図８はリミットスイッチのＯＮ状態における内部構造の概略図である。
【００２５】
リミットスイッチ２１は、圧縮バネ２１ａと、突起部２１ｂと、固定接点２１ｃと、可動接点２１ｄとを有している。リミットスイッチ２１は、固定接点２１ｃと、可動接点２１ｄとが互いに接した状態において電源回路がＯＮ状態となり、離間した状態で電源回路がＯＦＦ状態となる。リミットスイッチ２１は、図７に示すように突起部２１ｂに加えている押圧が無く、可動接点２１ｄが自由位置にある状態において、圧縮バネ２１ａは伸張状態となり、固定接点２１ｃと可動接点２１ｄとが離間した状態となる。このため、図７の状態において、リミットスイッチ２１はＯＦＦ状態となる。また、リミットスイッチ２１は、図８に示すように突起部２１ｂに対して押圧が有り、可動接点２１ｄが固定接点２１ｃと接すると、ＯＮ状態となる。
【００２６】
前面パネル３０は、リミットスイッチ２１の圧縮バネ２１ａを押圧部３２ｄにより押圧して圧縮した状態で、ロック機構２２によりフレーム部３２の爪部３２ｅがロックされている。このため、ロック機構２２によるロックが解除されると、前面パネル３０の爪部３２ｅが開放される。そして、リミットスイッチ２１の圧縮バネ２１ａは、押圧部３２ｄからの押圧から解放されるため、伸張して突起部２１ｂが押圧部３２ｄを圧縮バネ２１ａの反力により押すことになる。このように、前面パネル３０の下部側に設けられる押圧部３２ｄが本体２０のリミットスイッチ２１により力を受けることになるため、前面パネル３０はその上端部を軸として自動的に開くことになる。
【００２７】
（３）特徴
本実施形態に係る空気清浄機１０によれば、前面パネル３０を作業者等が開ける際にロック機構２２によるロックを解除すると、リミットスイッチ２１に設けられた圧縮バネ２１ａの反力により前面パネル３０が開く。したがって、作業者等がメンテナンスなどの際に、前面パネル３０を前方に開かなくとも、ロック機構２２によるロックを解除することのみで前面パネル３０を開くことができる。また、リミットスイッチ２１の圧縮バネ２１ａの反力を利用して前面パネル３０を開く構造とするため、前面パネル３０を開きやすくする部材を別に設けなくとも良くなり、別部材を収納するスペースを設けなくとも良い。このため、生産コストを低減することができ、かつ、製品サイズを抑えることができる。
【００２８】
また、ロック機構２２が本体２０側に設けられているため、作業者等がロック機構２２によるロックを解除する際に、本体２０側から解除するため、前面パネル３０に手をかけることなくロック機構２２によるロックを解除することができる。このため、前面パネル３０が前方に開く際に手が障害となることを防ぐことができる。
【００２９】
（４）変形例
上記実施形態に係る空気清浄機１０によれば、前面パネル３０は、その上端部を軸として回動し、バネを有するリミットスイッチ２１が本体の下部側に設けられているが、これに限らずに、前面パネル３０が回動する軸とリミットスイッチ２１の位置とが互いに反対側にあって、所定の距離が確保されていればよい。例えば、前面パネル３０の左端を軸として回動し、本体２０の右部側にリミットスイッチ２１を設けても良いし、前面パネル３０の右端を軸として回動し、本体２０の左部側にリミットスイッチ２１を設けても良いし、前面パネル３０の下端を軸として回動し、本体２０の上部側にリミットスイッチ２１を設けても良い。なお、ロック機構２２は、どの場合においてもリミットスイッチ２１と同じ側に設けられることになる。
【符号の説明】
【００３０】
１０          空気清浄機
２０          本体
２１          リミットスイッチ
２１ａ        圧縮バネ（バネ）
２２          ロック機構
３０          前面パネル
３２ｄ        押圧部（下方の部分）
【先行技術文献】
【特許文献】
【００３１】
【特許文献１】実公平６−１２４３５号公報
【特許文献２】特開昭６３−１５６５５３号公報
【図１】
2012024714.tif 000003
【図２】
2012024714.tif 000004
【図３】
2012024714.tif 000005
【図４】
2012024714.tif 000006
【図５】
2012024714.tif 000007
【図６】
2012024714.tif 000008
【図７】
2012024714.tif 000009
【図８】
2012024714.tif 000010